(57)【特許請求の範囲】
【請求項１】
上部と、前記上部と反対の底部と、打球面と、前記打球面と反対の後面と、を含む本体を備え、前記打球面が、
前記打球面と概して同一平面上にある打球面平面と、
前記打球面平面と同一平面上にある打球面外周であって、外周ヒール部と、前記外周ヒール部と反対の外周トウ部と、外周上部と、前記外周上部と反対の外周底部と、を有する打球面外周と、
前記打球面平面から後方に延びる陥凹部であって、前記打球面平面と同一平面上にある陥凹部外周を含む陥凹部と、
前記陥凹部の中に位置付けられたインサートと、
前記打球面外周と前記陥凹部外周とを隔てる最小周縁幅であって、１．２５ｍｍ以下の最小周縁幅と、
を有し、
前記インサートが、第一の材料を含む第一の部分と、前記第一の材料とは異なる第二の材料を含む第二の部分とを含み、
前記第一の材料が金属材料を含み、前記第二の材料がポリマ材料を含み、
前記第一の部分が第二の陥凹部を含み、前記第二の部分が少なくとも部分的に前記第二の陥凹部の中に位置付けられ、
前記第二の部分が前記打球面平面の幾何学中心を構成する、ゴルフクラブヘッド。
【請求項２】
前記周縁幅が１．１ｍｍ以下である、請求項１に記載のゴルフクラブヘッド。
【請求項３】
前記周縁幅が１．０ｍｍ以下である、請求項１に記載のゴルフクラブヘッド。
【請求項４】
前記金属材料が、ステンレススチール、チタン、アルミニウム、銅からなる群から選択される材料を含み、前記ポリマが、ポリマおよび繊維強化ポリマからなる群から選択される材料を含む、請求項１に記載のゴルフクラブヘッド。
【請求項５】
前記クラブヘッドが、パター型ゴルフクラブヘッドである、請求項１に記載のゴルフク
ラブヘッド。
【請求項６】
前記インサートが、前面と、前記前面と反対の後面と、前記前面と前記後面の中間の側面と、をさらに有し、前記前面が前記打球面平面と同一平面上にある、請求項１に記載のゴルフクラブヘッド。
【請求項７】
前記最小周縁幅が、前記打球面の前記外周の前記ヒール部と、前記トウ部と、前記上部のうちの１つに位置付けられている、請求項１に記載のゴルフクラブヘッド。
【請求項８】
上部と、前記上部と反対の底部と、打球面と、前記打球面と反対の後面と、を含む本体を備え、前記打球面が、
前記打球面と概して同一平面上にある打球面平面と、
前記打球面平面と同一平面上にある打球面外周と、
前記打球面平面から後方に延びる陥凹部であって、前記打球面平面と同一平面上にある陥凹部外周を含む陥凹部と、
前記陥凹部の中に設置されたインサートと、
を有し、
ある仮想面が、前記打球面平面に垂直であり、
前記仮想面が、第一の仮想点で前記本体の前記底部に近い前記打球面外周と交差し、第二の仮想点で前記本体の前記底部から遠い前記打球面外周と交差し、
前記仮想面が、前記本体の前記底部に近い第三の仮想点で前記陥凹部外周と交差し、前記本体の前記底部から遠い第四の仮想点で前記陥凹部外周と交差し、
前記第一の仮想点が前記第二の仮想点から距離Ｄだけ離れ、
前記第三の仮想点が前記第一の仮想点から距離ｄ１だけ離れ、前記第四の仮想点が前記第二の仮想点から距離ｄ２だけ離れ、
第一の比ｄ１／Ｄと第二の比ｄ２／Ｄの少なくとも一方が０．０５０以下であるように、前記陥凹部を通過し、
前記インサートが、第一の材料を含む第一の部分と、前記第一の材料とは異なる第二の材料を含む第二の部分とを含み、
前記第一の材料が金属材料を含み、前記第二の材料がポリマ材料を含み、
前記第一の部分が第二の陥凹部を含み、前記第二の部分が少なくとも部分的に前記第二の陥凹部の中に位置付けられ、
前記第二の部分が前記打球面平面の幾何学中心を構成する、パター型ゴルフクラブヘッド。
【請求項９】
前記第一の比と前記第二の比の少なくとも一方が０．０４５以下である、請求項８に記載のゴルフクラブヘッド。
【請求項１０】
前記第二の比が０．０４５以下である、請求項８に記載のゴルフクラブヘッド。
【請求項１１】
前記第二の仮想点が前記第四の仮想点から１．２５ｍｍ以下の距離だけ離れている、請求項８に記載のゴルフクラブヘッド。
【請求項１２】
前記仮想面において、前記第三の仮想点が第四の仮想点から距離ｄ３だけ離れ、ｄ３／Ｄが０．９０以上である、請求項８に記載のゴルフクラブヘッド。
【請求項１３】
前記金属材料が、ステンレススチール、チタン、アルミニウム、銅からなる群から選択される材料を含み、前記ポリマ材料が、ポリマおよび繊維強化ポリマからなる群から選択される材料を含む、請求項８に記載のゴルフクラブヘッド。
【請求項１４】
上部と、前記上部と反対の底部と、打球面と、前記打球面と反対の後面と、を含む本体を備え、前記打球面が、
前記打球面と概して同一平面上にある打球面平面と、
前記打球面平面と同一平面上にある打球面外周と、
前記打球面平面から後方に延びる陥凹部であって、前記打球面平面と同一平面上にある陥凹部外周を含む陥凹部と、
前記陥凹部の中に設置されたインサートであって、前面と、前記前面と反対の後面と、前記前面と前記後面の間の中間面と、最大長さＬｍａｘと、を有し、前記前面が前記打球面平面と同一平面上にあり、幾何学中心を有するインサートと、
を含み、
第一の仮想面が、前記打球面に垂直であり、
前記第一の仮想面が、第一の仮想点で前記本体の前記底部に近い前記打球面外周と交差し、第二の仮想点で前記本体の前記底部から遠い前記打球面外周と交差し、
前記第一の仮想面が、前記本体の前記底部に近い第三の仮想点で前記陥凹部外周と交差し、前記本体の前記底部から遠い第四の仮想点で前記陥凹部外周と交差する
ように前記幾何学中心を通過し、
第二の仮想面が、前記第一の仮想面に平行であり、前記第一の仮想面から０．１０×Ｌｍａｘから０．４０×Ｌｍａｘの距離だけ離れ、
前記第二の仮想面が、第五の仮想点で前記本体の前記底部に近い前記打球面外周と交差し、第六の仮想点で前記本体の前記底部から遠い前記打球面外周と交差し、
前記第二の仮想面が、前記本体の前記底部に近い第七の仮想点で前記陥凹部外周と交差し、前記本体の前記底部から遠い第八の仮想点で前記陥凹部外周と交差し、
前記第一の仮想点と前記第三の仮想点が距離Ｄ１だけ離れ、
前記第二の仮想点と前記第四の仮想点が距離Ｄ２だけ離れ、
前記第五の仮想点と前記第七の仮想点が距離Ｄ３だけ離れ、
前記第六の仮想点と前記第八の仮想点が距離Ｄ４だけ離れ、
Ｄ１、Ｄ２、Ｄ３、Ｄ４のうちの少なくとも１つが１．５ｍｍ以下で、
Ｄ１とＤ３の間の差の絶対値とＤ２とＤ４の間の差の絶対値の少なくとも一方が２．０ｍｍ以上であり、
前記インサートが、第一の材料を含む第一の部分と、前記第一の材料とは異なる第二の材料を含む第二の部分とを含み、
前記第一の材料が金属材料を含み、前記第二の材料がポリマ材料を含み、
前記第一の部分が第二の陥凹部を含み、前記第二の部分が少なくとも部分的に前記第二の陥凹部の中に位置付けられ、
前記第二の部分が前記打球面平面の幾何学中心を構成する、ゴルフクラブヘッド。
【請求項１５】
前記金属材料が、ステンレススチール、チタン、アルミニウム、銅からなる群から選択される材料を含み、前記ポリマ材料が、ポリマおよび繊維強化ポリマからなる群から選択される材料を含む、請求項１４に記載のゴルフクラブヘッド。
【発明の詳細な説明】
【技術分野】
【０００１】
本発明は、インサートを有するゴルフクラブヘッドに関する。
（著作権許諾の表明）
以下の開示は、著作権保護の対象となり得る。著作権所有者は、本開示を含む文書のいかなるものによる複製に対しても、それが特許商標庁の記録に掲載されるかぎり異議を申し立てないが、それ以外においては、適用可能なすべての著作権を留保する。
【背景技術】
【０００２】
ゴルフクラブの重要な性能要素は、加振に対するその動的応答、すなわちボールとのインパクト時にゴルフクラブからプレイヤが受ける知覚または感覚である。ゴルフクラブヘッドは一般に、剛性の金属製打球面を含み、これは、芯を外したショットの場合に不快な感覚を与えることが多い。不要な振動を減らすために、ゴルフクラブヘッドの打球面に各種の材料のインサートが使用され得る。しかしながら、このようなインサートはしばしば、ゴルフクラブヘッドの打球面に構成されて、オフセンターヒット時にボールとゴルフクラブの打球面との間の接触点がインサートから外れる可能性が高くなり、その結果、ショットの精度が低下し、好ましくない振動応答、すなわち感覚を生じさせる。さらに、このような構成はゴルファーの自信を損なわせ、これがゴルフクラブの性能に影響を与える。
【発明の概要】
【発明が解決しようとする課題】
【０００３】
本発明は、ミスショット時の応答を改善し、触覚的フィードバックを向上させることができるゴルフクラブヘッドを提供することを目的とする。
【課題を解決するための手段】
【０００４】
本発明の１つまたはそれ以上の態様におけるある実施形態は、有利な点として、ミスショット時の応答を改善し、触覚的フィードバックを向上させ、プレイヤの自信を増大させるゴルフクラブヘッドであってもよい。
【０００５】
各種の実施形態において、ゴルフクラブヘッドは、上部と、上部と反対の底部と、打球面と、打球面と反対の後面と、を含む本体を有する。打球面は、打球面と概して同一平面上にある打球面平面と、打球面平面と同一平面上にある打球面外周と、を有する。打球面外周は、外周ヒール部と、外周ヒール部と反対の外周トウ部と、外周上部と、外周上部と反対の外周底部と、を有する。打球面はまた、打球面平面から後方に延びる陥凹部であって、打球面平面と同一平面上にある陥凹部外周を含む陥凹部を有する。打球面はさらに、陥凹部内に設置されたインサートを有する。打球面は、これに加えて、打球面外周と陥凹部外周を隔てる最小周縁幅を有する。周縁幅は１．２５ｍｍ以下である。
【０００６】
各種の実施形態において、ゴルフクラブヘッドはパター型ゴルフクラブヘッドであり、上部と、上部と反対の底部と、打球面と、打球面と反対の後面と、を含む本体を有する。打球面は、打球面と概して同一平面上にある打球面平面と、打球面平面と同一平面上にある打球面外周と、を有する。打球面はまた、打球面平面から後方に延びる陥凹部であって、打球面平面と同一平面上にある陥凹部外周を含む陥凹部を有する。打球面は、これに加えて、陥凹部の中に設置されたインサートを有する。打球面平面に垂直な仮想面は、この仮想面が第一の仮想点で本体の底部に近い打球面外周と交差し、第二の仮想点で本体の底部から遠い打球面外周と交差するように、陥凹部を通過する。この仮想面はまた、本体の底部に近い第三の仮想点で陥凹部外周と交差し、本体の底部から遠い第四の仮想点で陥凹部外周と交差する。第一の仮想点は第二の仮想点から距離Ｄだけ離れている。第三の仮想
点は第一の仮想点から距離ｄ１だけ離れ、第四の仮想点は第二の仮想点から距離ｄ２だけ離れている。第一の比ｄ１／Ｄと第二の比ｄ２／Ｄのうちの少なくとも一方が０．０５０以下である。
【０００７】
各種の実施形態において、ゴルフクラブヘッドは、上部と、上部と反対の底部と、打球面と、打球面と反対の後面と、を含む本体を有する。打球面は、打球面と概して同一平面上にある打球面平面と、打球面平面と同一平面上にある打球面外周と、を有する。打球面はまた、陥凹部の中に設置されたインサートを有する。インサートは、前面と、前面と反対の後面と、前面と後面の間の中間面と、最大長さＬｍａｘと、を有する。前面は打球面平面と同一平面上にあり、幾何学中心を有する。打球面面に垂直な第一の仮想面は、この第一の仮想面が第一の仮想点で本体の底部に近い打球面外周と交差し、第二の仮想点で本体の底部から遠い打球面外周と交差するように、幾何学中心を通過する。第一の仮想面はまた、本体の底部に近い第三の仮想点で陥凹部外周と交差し、本体の底部から遠い第四の仮想点で陥凹部外周と交差する。第二の仮想面は打球面に垂直で、第一の仮想面から０．１０×Ｌｍａｘから０．４０×Ｌｍａｘの距離だけ離れており、それによって第二の仮想垂直面が、第五の仮想点で本体の底部に近い打球面外周と交差し、第六の仮想点で本体の底部から遠い打球面外周と交差する。第二の仮想垂直面はまた、本体の底部に近い第七の仮想点で陥凹部外周と交差し、本体の底部から遠い第八の仮想点で陥凹部外周と交差する。第一の仮想点と第三の仮想点は距離Ｄ１だけ離れている。第二の仮想点と第四の仮想点は距離Ｄ２だけ離れている。第五の仮想点と第七の仮想点は距離Ｄ３だけ離れている。第六の仮想点と第八の仮想点は距離Ｄ４だけ離れている。Ｄ１、Ｄ２、Ｄ３およびＤ４の少なくとも１つは、１．５ｍｍ以下、Ｄ１とＤ３との第一の絶対差とＤ２とＤ４との第二の絶対差のうちの少なくとも一方は２．０ｍｍ以上である。
【０００８】
本発明による、その各種の態様におけるゴルフクラブヘッドの上記およびその他の特徴と利点は、以下に詳細に説明する各種の例の１つまたはそれ以上によって提供され、以下の説明、添付の図面および付属の特許請求の範囲を考えれば明らかとなるであろう。添付の図面は単に例示を目的としており、本発明の範囲を制限しようとするものではない。
【０００９】
本発明は、その１つまたはそれ以上の態様において、例としてであって、限定としてではなく、添付の図面の図中に描かれている。
【図面の簡単な説明】
【００１０】
【図１ａ】各種の実施形態によるゴルフクラブヘッドのヒール側斜視図である。
【図１ｂ】そのトウ側立面図である。
【図１ｃ】その上面図である。
【図１ｄ】その前側立面図である。
【図１ｅ】図１ｄのゴルフクラブヘッドのインサートの前面の幾何学中心を通って延びる仮想面Ａ−Ａ’におけるトウ側から見た断面図である。
【図１ｆ】ある実施形態をさらに説明するための、図１ｄのゴルフクラブヘッドの面を通って延びる別の仮想面Ｂ−Ｂ’におけるトウ側から見た断面図である。
【図１ｇ】ある実施形態をさらに説明するための、その前側立面図である。
【図２】各種の実施形態によるゴルフクラブヘッドのヒール側斜視図である。
【図２ａ】図２のゴルフクラブヘッドの上面図である。
【図２ｂ】図２の仮想面Ｃ−Ｃ’におけるトウ側から見た断面図である。
【図３】各種の実施形態によるゴルフクラブヘッドの前側立面図である。
【図３ａ】図３の仮想面Ａ−Ａ’におけるトウ側から見た断面図である。
【図３ｂ】図３の仮想面Ｂ−Ｂ’における底側から見た断面図である。
【図４】各種の実施形態によるゴルフクラブヘッドの前側立面図である。
【図４ａ】図４の仮想面Ａ−Ａ’におけるトウ側から見た断面図である。
【図４ｂ】図４の仮想面Ｂ−Ｂ’におけるトウ側から見た断面図である。
【図４ｃ】図４の仮想面Ｃ−Ｃ’における底側から見た断面図である。
【図４ｄ】図４の仮想面Ｄ−Ｄ’おける底側から見た断面図である。
【図５】各種の実施形態によるゴルフクラブヘッドの前方立面図である。
【図５ａ】図５の仮想面Ａ−Ａ’におけるヒール側から見た断面図である。
【図５ｂ】図５の仮想面Ｂ−Ｂ’におけるヒール側から見た断面図である。
【００１１】
説明のために、上記の図面は必ずしも正しい縮尺で描かれていない。すべての図面を通して、同じまたは同様の要素には同じ参照番号が付されている。
【発明を実施するための形態】
【００１２】
以下に開示する、本発明によるゴルフクラブヘッドの１つまたはそれ以上の新規で非自明的な態様と特徴の代表的な例は、いかなる方法でも限定しようとするものではない。さらに、本発明の各種の態様と特徴は、単独でも、あるいは相互の様々な新規で非自明的な結合および小結合の形態でも使用できる。
【００１３】
ゴルフクラブの重要な性能要素は、加振に対するその動的応答、すなわちボールとのインパクト時にゴルフクラブからプレイヤが受ける知覚または感覚である。不要な振動を減らすために、ゴルフクラブヘッドの打球面に各種の材料のインサートが使用されるかもしれない。ある実施形態は、有利な点として、ゴルフボールがインサート上に位置する場所においてゴルフクラブの打球面と接触する可能性を大きくし、またインサートが打球面の残りの領域と比較して大きな前面領域を有すると認識されるように構成することによって、ミスショット時の許容性を改善し、触覚的フィードバックを向上させ、プレイヤの自信を増大させるゴルフクラブヘッドであってもよい。
【００１４】
１つまたはそれ以上の実施形態において、例として図１ａから図１ｇに描かれているように、ゴルフクラブヘッド１００はパター型ゴルフクラブヘッドである。図のように、クラブヘッド１００は、ＡＮＳＥＲ（登録商標）スタイルのブレード型パターヘッドである。他の実施形態において、クラブヘッド１００は、マレット型パタークラブヘッド、ブレード型パタークラブヘッドまたはその他のいずれであってもよい。
【００１５】
図１ａを参照すると、ゴルフクラブヘッド１００は、ゴルフボールを打つための打球面１０３を含む前部１０１、前部１０１と反対の後面１０５、上部１０７、上部１０７と反対の底部１０９、ヒール部１１１、およびヒール部１１１と反対のトウ部１１３を有する。打球面１０３は、打球面周縁部１１５、打球面外周１１７、陥凹部１１９、および陥凹部外周１２３を含む。ホーゼル１２５が、ヒール部１１１に近い上部１０７から延び、シャフト（図示せず）を受ける。本明細書の図面にはホーゼル１２５を有するゴルフクラブヘッド１００が描かれているが、ゴルフクラブヘッド１００は、図のホーゼル１２５の代わりにシャフト受容部、たとえば開口部しか持たなくてもよく、すわなち「ホーゼルなし」であってもよい。ホーゼル１２５はまた、ゴルフクラブヘッド１００に関して、概してどのような形状、角度または位置であってもよい。
【００１６】
１つまたはそれ以上の実施形態において、たとえば図１ｂに示されるように、打球面１０３は仮想打球面平面１２７と概して同一平面上にある。たとえば、打球面１０３は、平坦であっても、テクスチャード加工が施されていても、スコアラインまたは溝を含んでいても、陥凹部１１９を取り囲む周縁溝を有していても、または若干の曲率、たとえば約１００ｍｍ以上の隆起または盛り上がり半径を有していてもよい。打球面１０３の最も外側の境界、すなわちクラブヘッド１００の、打球面平面１２７と同一平面上にある部分の最も外側の境界は、打球面外周１１７を形成する。陥凹部１１９は、打球面平面１２７から後方に延びる。陥凹部１１９の外側境界と打球面平面１２７との交差部が、陥凹部外周１
２３を形成する。打球面１０３の、陥凹部外周１２３と打球面外周１１７との間にある領域は打球面周縁部１１５を構成する。
【００１７】
再び図１ａと図１ｂを参照すると、１つまたはそれ以上の実施形態において、インサート１２１は、少なくとも部分的に陥凹部１１９の中に設置される。いくつかの実施形態において、たとえば図１ａに示される実施形態のように、インサート１２１は完全に陥凹部１１９の中に設置される。インサート１２１は、前面１０２、後面１０４、および前面１０２と後面１０４との間に配置される中間面１５６を有する。インサート１２１の前面１０２は、打球面１０３の周縁部１１５と概して同一平面上にある。たとえば、いくつかの実施形態において、インサート１２１の前面１０２は、インサート１２１の前面１０２の外側境界の付近に、テクスチャード加工部、スコアライン、溝および／または周縁溝を有していてもよい。他の実施形態において、インサート１２１は、前面１０２が打球面平面１２７から陥没しているように構成される。さらに他の実施形態において、インサート１２１は、前面１０２が周縁部１１５に関して隆起するように構成される。
【００１８】
インサート１２１は、ステンレススチール、チタン、アルミニウム、銅、その他の金属、ポリマ、繊維強化ポリマ、ポリウレタン、エラストマ材料、ナイロン、木、またはこれらのあらゆる組み合わせのいずれであってもよい。インサート１２１は、単独の材料またはあらゆる複合材料の単体から構成されてもよい。あるいは、インサート１２１は、各々が同じ、異なる、またはあらゆる複合材料の一体部品または部分の連続から構成されてもよい。たとえば、インサート１２１の第一の部分は金属材料であってもよく、インサート１２１の第二の部分はポリマ材料であってもよい。インサート１２１の第一の部分はまた、インサート陥凹部を有していてもよく、その中にインサート１２１の第二の部分が部分的に、または完全に設置されてもよい。インサート１２１を、各々が異なる材料を有する複数の個別の部分を含むように構成することは、たとえば、それによってゴルフクラブヘッド１００とゴルフボールとの間の衝撃位置に基づいて応答を変化させることが可能になるという点で有利である。複数の一体の個別部品を含むインサートは、いくつの部分を含んでもよく、またどのような形状または配置であってもよいことを明記する。
【００１９】
図１ｂを参照すると、ゴルフクラブヘッド１００が地面１４４に関して基準位置に置かれている。陥凹部１１９は底面１５８と、陥凹部外周１２３と底面１５８との中間の側面１２４を有する。側面１２４は、打球面平面１２７に概して垂直である。あるいは、側面１２４は、後面１０４に向かって、いずれの角度、曲線、階段状、またはこれらのあらゆる組み合わせでも、打球面平面１２７から底面１５８まで延びていてよい。いくつかの実施形態において、側面１２４は底面１５８へと連続的に推移する。
【００２０】
再び図１ｂを参照すると、１つまたはそれ以上の実施形態において、打球面外周１１７は、打球面外周上部１１７ａと打球面外周底部１１７ｂを有する。陥凹部外周１２３はまた、陥凹部外周上部１２３ａと陥凹部外周底部１２３ｂを含む。いくつかの実施形態において、陥凹部１１９は、ゴルフクラブヘッド１００の後面１０５へと延びる貫通穴であってもよい。この場合、インサート１２１は、陥凹部１１９の中に設置された時に、インサート１２１の後面１０４の少なくとも一部が露出するような位置に保持されてもよい。
【００２１】
インサート１２１は、図のように、インサート１２１の中央部分がインサート１２１のヒール側部分とトウ側部分のいずれよりも広い。しかしながら、１つまたはそれ以上の他の実施形態において、インサート１２１の幅は、中央部分よりヒール側またはトウ側部分のいずれにおいても広くてよいことを明記する。このような幅の変化は、ゴルフクラブヘッド１００の感覚、ゴルフクラブヘッド１００の振動応答に影響を与え、最終的にはプレイヤの自信を増大させるかもしれない。インサート１２１の幅は変化させうるため、陥凹部１１９も、したがって、これと相補的に変化する高さを有する。インサート１２１は、
この場合、インサート１２１と陥凹部１１９の具体的な形状のほか、特徴のこのような配置の所望の効果に応じて、陥凹部１１９と完全に接触しても、そうでなくてもよい。たとえば、インサート１２１は、インサート１２１の後方でインサート１２１と陥凹部１１９の底面１５８との間に中空部分が形成されるように構成されてもよい。
【００２２】
図１ｄを参照すると、インサート１２１の前面１０２は、幾何学中心１３１を含む。１つまたはそれ以上の実施形態において、陥凹部１１９とインサート１２１は、対称軸に関して対称であってもよい。いくつかの実施形態において、対称軸は打球面平面１２７の中にあり（図１ｅ参照）、インサート１２１の前面１０２の幾何学中心１３１を通過する。いくつかのこのような実施形態において、対称軸はさらに、ゴルフクラブヘッドが基準位置に置かれた時に垂直面内にもあり、これについては後述する。しかしながら、陥凹部１１９および／またはインサート１２１は対称でなくてもよい。たとえば、いくつかの実施形態において、陥凹部１１９および／またはインサート１２１は概して、打球面１０３の外周１１７に追従する。
【００２３】
図１ｂ〜図１ｆを参照すると、前述のように、ゴルフクラブヘッド１００は、地面１４４に関して基準位置に示されている。特に図１ｄを参照すると、ホーゼル１２５はホーゼル軸１４０を含む。第一の仮想垂直面１４２は地面１４４に垂直であり、打球面平面１２７に垂直であり、クラブヘッド１００の打球面１０３の最もヒール側の点１４６を通過する。第二の仮想垂直面１５０は第一の仮想面１４２に平行であり、クラブヘッド１００の打球面１０３の最もトウ側の点１４８を通過する。「基準位置」とは本明細書において、ゴルフクラブヘッド、たとえばクラブヘッド１００の位置であって、ホーゼル軸１４０が地面１４４に関して垂直面内にあり、クラブヘッド１００の底部１０９と地面１４４との交差点１５２が、第一と第二の仮想面１４２と１５０との間で等間隔となるような位置を意味する。
【００２４】
再び図１ｂを参照すると、寸法Ｈｍａｘは、クラブヘッド１００が基準位置にある時に、地面１４４に垂直な方向に測定されるゴルフクラブヘッド１００の地面１４４から上部１０７のある点までの、ホーゼル１２５を除く最大高さである。１つの実施形態において、Ｈｍａｘは１５ｍｍより大きい。他の実施形態において、Ｈｍａｘは２０ｍｍより大きく、また別の実施形態においては２５ｍｍより大きい。
【００２５】
寸法Ｈｒｅｃは、地面１４４に垂直な方向に測定される地面１４４からの陥凹部外周上部１２３ａの最大高さである。１つまたはそれ以上の実施形態において、Ｈｒｅｃは、ＨｍａｘとＨｒｅｃの絶対差が３ｍｍ以下、より好ましくは２ｍｍ以下、さらにより好ましくは１．２５ｍｍ以下となるような高さである。これらの範囲によって、インサート部分が打球面全領域と比較して大きいと認識され、性能を向上させるようなクラブヘッドを提供するという利益が得られる。
【００２６】
図１ｃはゴルフクラブヘッド１００の上面図であり、これは打球面１０３、陥凹部１１９、ホーゼル１２５、および少なくとも部分的に陥凹部１１９の中に設置されたインサート１２１を有する。ゴルフクラブヘッド１００はまた、前部１０１、後面１０５、ヒール部１１１、およびトウ部１１３を有する。また、断面Ａ−Ａ’とＢ−Ｂ’も示されており、これについては後により詳しく説明する。断面Ａ−Ａ’とＢ−Ｂ’は各々、打球面１０３に垂直であり、各々が陥凹部１１９の一部を通過する。特に、垂直断面Ａ−Ａ’は、図１ｅに関して後述するが、幾何学中心１３１でゴルフクラブヘッド１００の一部を通過する（図１ｄ等参照）。垂直断面Ｂ−Ｂ’は、図１ｆに関して後述するが、幾何学中心１３１以外の位置でゴルフクラブヘッド１００の一部を通過する。
【００２７】
図１ｅは、図１ｄに描かれているように幾何学中心１３１を通過する垂直断面Ａ−Ａ’
の視点でのゴルフクラブヘッド１００の断面図である。垂直断面Ａ−Ａ’がゴルフクラブヘッド１００と交差し、打球面平面１２７に沿って４つの点、すなわち点１３３、点１３５、点１３７、点１３９ができる。点１３３は、打球面平面１２７と垂直断面Ａ−Ａ’と打球面外周底部１１７ｂが接触する点を表す。点１３５は、打球面平面１２７と垂直断面Ａ−Ａ’と打球面外周上部１１７ａが接触する点を表す。点１３７は、打球面平面１２７と垂直断面Ａ−Ａ’と陥凹部外周底部１２３ｂが接触する点を表す。点１３９は、打球面平面１２７と垂直断面Ａ−Ａ’と陥凹部外周上部１２３ａが接触する点を表す。寸法Ｌ１は、点１３３と点１３５の間の距離である。この場合、点１３３と点１３５の間の距離は、幾何学句中心１３１における打球面１０３の全幅に対応する。寸法ｌ１は、点１３５と点１３９の間の距離を表す。寸法ｌ２は、点１３３と点１３７の間の距離を表す。
【００２８】
ゴルフクラブ１００は、打球面外周１１７と陥凹部外周１２３との間の最小距離を含む。この最小距離は、最小周縁幅を意味する。本実施の形態において、最小周縁幅は寸法ｌ１に対応する。１つまたはそれ以上の実施形態において、寸法ｌ１は１．２５ｍｍ以下、１．１０ｍｍ以下、または１．００ｍｍ以下である。寸法ｌ１がこれらの範囲内にある代わりに、またはこれに加えて、各種の実施形態において、距離ｌ２は１．２５ｍｍ以下、１．１０ｍｍ以下、または１．００ｍｍ以下であってもよい。寸法ｌ１とｌ２が個々にまたは共にこれらの範囲内にある代わりに、またはこれに加えて、後述のように、また図３ｂに最もよく描かれているように、打球面外周１１７のヒール部とトウ部および陥凹部外周１２３のヒール部とトウ部の同様の点間の距離は、１．２５ｍｍ以下、１．１０ｍｍ以下、または１．００ｍｍ以下であってもよい。
【００２９】
１つまたはそれ以上の実施形態において、比ｌ１／Ｌ１とｌ２／Ｌ１の少なくとも一方は０．０５０以下、０．０４５以下、または０．０４０以下である。寸法ｌ３は点１３７と点１３９の間の距離を表す。いくつかの実施形態において、比ｌ３／Ｌ１は０．９０以上、０．９５以上、または０．９９以上である。
【００３０】
図１ｆは、図１ｄに描かれているように幾何学中心１３１以外の位置でゴルフクラブヘッド１００を通過する垂直断面Ｂ−Ｂ’の視点での断面図である。垂直断面Ｂ−Ｂ’がゴルフクラブヘッド１００と交差し、打球面平面１２７に沿って４つの点、すなわち点１４１、点１４３、点１４５、点１４７ができる。点１４１は、打球面平面１２７と垂直断面Ｂ−Ｂ’と打球面外周底部１１７ｂが接触する点を表す。点１４３は、打球面平面１２７と垂直断面Ｂ−Ｂ’と打球面外周上部１１７ａが接触する点を表す。点１４５は、打球面平面１２７と垂直断面Ｂ−Ｂ’と陥凹部外周底部１２３ｂが接触する点を表す。点１４７は、打球面平面１２７と垂直断面Ｂ−Ｂ’と陥凹部外周上部１２３ａが接触する点を表す。寸法Ｌ２は、点１４１と点１４３の間の距離である。点１４１と点１４３との間の距離Ｌ２は、垂直断面Ｂ−Ｂ’における打球面１０３の全幅に対応する。寸法ｌ４は、点１４３と点１４７の間の距離を表す。図１ｅに示されている寸法ｌ４は、図１ｅに示されている寸法ｌ１より大きいが、ゴルフクラブヘッド１００の形状に応じて、ｌ４は寸法ｌ１以下でもよい。点１４１と点１４５の間の距離は寸法ｌ５によって表される。点１４５と点１４７の間の距離は寸法ｌ６で表される。寸法ｌ６は図１ｅに示されている寸法ｌ３より小さく描かれているが、ゴルフクラブヘッド１００の具体的な形状に応じて、この関係は逆であってもよい。
【００３１】
図１ｇは、地面１４４に関して基準位置にあるゴルフクラブヘッド１００の前方立面図であり、これは陥凹部１１９、陥凹部１１９の中のインサート１２１、ホーゼル１２５、打球面の最もヒール側の点１６０、および打球面の最もトウ側の点１６２を含む。最大長さＬｍａｘは水平方向に測定されるインサート１２１の全長を表し、寸法Ｗｓｆは水平方向に測定される打球面１０３の全幅（すなわち、打球面外周１１７の範囲）を表し、寸法Ｈｇｃ，ｍａｘは、地面１４４に関するゴルフクラブヘッド１００の上部１０７の最大高
さを表す。Ｗｓｆは、打球面の最もトウ側の点１６０と打球面の最もヒール側の点１６２の間で測定される。
【００３２】
図１ｄ〜図１ｆを参照すると、１つの実施形態において、垂直断面Ａ−Ａ’が幾何学中心１３１を通るように切断され、垂直断面Ｂ−Ｂ’が垂直断面Ａ−Ａ’に平行で、垂直断面Ａ−Ａ’から０．１０×Ｌｍａｘから０．４０×Ｌｍａｘの距離だけ離れている場合、寸法ｌ２、ｌ１、ｌ５、ｌ４のうちの少なくとも１つは１．５ｍｍ以下である。ある実施形態によれば、ｌ２とｌ５の差の絶対値とｌ１とｌ４の差の絶対値の少なくとも一方は、２．０ｍｍ以上である。しかしながら、上記の絶対値の数値は、ゴルフクラブヘッド１００の具体的な形状に応じて、２．０ｍｍ以下であってもよい。
【００３３】
１つまたはそれ以上の実施形態において、図２から図２ｂに例として描かれているように、ゴルフクラブヘッド２００はパター型ゴルフクラブ用のヘッドである。図２〜図２ｂを参照すると、ゴルフクラブヘッド２００は基準位置で示されており、ゴルフボールを打つための打球面２０３を含む前部２０１、後面２０５、上部２０７、上部２０７と反対の底部２０９、ヒール部２１１、ヒール部２１１の反対のトウ部２１３、打球面周縁部２１５、打球面外周２１７、陥凹部２１９、陥凹部２１９の中に設置され、第一のインサート部２２２と第二のインサート部２２４を有するインサート２２１、陥凹部外周２２３、および打球面２０３のヒール部２１１付近の、シャフト（図示せず）を受けるためのホーゼル２２５を有する。本明細書の図面では、ホーゼル２２５を有するゴルフクラブヘッド２００が描かれているが、ゴルフクラブヘッドは、図に示されたホーゼル２２５の代わりにシャフト受容部のみを有し、すなわち「ホーゼルなし」であってもよい。ホーゼル２２５はまた、ゴルフクラブヘッド２００に関してどのような形状、角度、または位置であってもよい。たとえば、他の実施形態では、ホーゼル２２５は、たとえば「センターシャフト型」ゴルフクラブにおいて、中央位置にあってもよく、また他の実施形態では、ホーゼル２２５は、たとえば「トウシャフト型」ゴルフクラブにおいて、ゴルフクラブヘッドのトウ部２１３の付近に位置付けてもよい。打球面周縁部２１５は、陥凹部２１９の少なくとも一部を取り囲む。他の説明がないかぎり、これらの特徴は、本発明の図１ａ〜図１ｇに関して述べた本発明の実施形態の同様の特徴と同様の方法で定義され、相互に関連付けられる。
【００３４】
例えば、図２ｂを参照すると、インサート２２１は、前面２０２、後面２０４、中間面２５６、ヒール部２０６と、トウ部２０８を有する。インサート２２１の前面２０２は、打球面２０３と同一平面上にある。インサート２２１は、ステンレススチール、チタン、アルミニウム、銅、その他の金属、ポリマ、繊維強化ポリマ、またこれらのどのような組み合わせであってもよい。インサートの第一の部分２２２は金属材料であってもよく、インサートの第二の部分２２４はポリマ材料であってもよい。インサートの第一の部分２２２はまた、インサート陥凹部を有していてもよく、インサートの第二の部分２２４がインサート２２１の第一の部分２２２のインサート陥凹部の中に設置される。しかしながら、一体部分の連続で構成されるインサート２２１は、いずれの形態または配置であってもよいことを明記する。
【００３５】
垂直断面Ｃ−Ｃ’は、打球面平面２２７に垂直である（図２と図２ａ参照）。垂直断面Ｃ−Ｃ’は、図２ａに関して後述するが、ゴルフクラブヘッド２００の一部を通過する。いくつかの実施形態において、垂直断面は、インサート２２１の前面２０２の幾何学中心を通る。
【００３６】
図２ｂは、図２と図２ａに示されるようにゴルフクラブヘッド２００を通過する垂直断面Ｃ−Ｃ’の視点での、トウ側から見たゴルフクラブヘッド２００の断面図である。図のように、打球面平面２２７は、ゴルフクラブヘッド２００の打球面２０３と概して同一平
面上にある。
【００３７】
図１ａ〜図１ｇに示される実施形態に関して前述したように、寸法Ｈｇｃ，ｍａｘは、地面２４４に垂直方向に測定されるゴルフグラブヘッド２００の地面２４４から上部２０７までの最大高さを表す。
【００３８】
１つまたはそれ状の実施形態において、図３から図３ｄに例として描かれているように、ゴルフクラブヘッド３００はパター型ゴルフクラブ用のヘッドである。図３を参照すると、ゴルフクラブヘッド３００は基準位置に置かれ、ゴルフボールを打つための打球面３０３を含む前部３０１、上部３０７、上部３０７と反対の底部３０９、ヒール部３１１、ヒール部３１１と反対のトウ部３１３、打球面周縁部３１５、打球面外周３１７、陥凹部３１９、陥凹部３１９の中に設置されたインサート３２１、陥凹部外周３２３、および打球面３０３のヒール側にある、シャフト（図示せず）を受けるためのホーゼル３２５を有する。本明細書の図にはホーゼル３２５を有するゴルフクラブヘッド３００が描かれているが、ゴルフクラブヘッドは、図のホーゼル３２５に代わって、シャフト受容部、たとえば開口部だけを有し、すなわち「ホーゼルなし」であってもよい。ホーゼル３２５はまた、ゴルフクラブヘッド３００に関してどのような形状、角度または位置であってもよい。打球面周縁部３１５は、陥凹部３１９の少なくとも一部を取り囲む。他の説明がないかぎり、これらの特徴は図１ａ〜図１ｇに関して述べた本発明の実施形態の同様の特徴と同様の方法で定義され、相互に関連付けられる。
【００３９】
垂直断面Ａ−Ａ’は、打球面平面３２７に垂直である（図３ａに示される）。垂直断面Ａ−Ａ’は、図３ａに関して後述するが、ゴルフクラブヘッド３００の一部を通過する。水平断面Ｂ−Ｂ’は打球面平面３２７に垂直であり、また断面Ａ−Ａ’にも垂直である。水平断面Ｂ−Ｂ’は、図３ｂに関して後述するが、ゴルフクラブヘッド３００の一部を通過する。
【００４０】
図３ａは、図３に描かれているようにゴルフクラブヘッド３００を通過する垂直断面Ａ−Ａ’の視点でのゴルフクラブヘッド３００の断面図である。垂直断面Ａ−Ａ’がゴルフクラブヘッド３００と交差し、打球面平面３２７に沿って４つの点、すなわち点３３３、点３３５、点３３７、点３３９ができる。点３３３は、打球面平面３２７と垂直断面Ａ−Ａ’と打球面外周底部３１７ｂが接触する点を表す。点３３５は、打球面平面３２７と垂直断面Ａ−Ａ’と打球面外周上部３１７ａが接触する点を表す。点３３７は、打球面平面３２７と垂直断面Ａ−Ａ’と陥凹部外周底部３２３ｂが接触する点を表す。点３３９は、打球面平面３２７と垂直断面Ａ−Ａ’と陥凹部外周上部３２３ａが接触する点を表す。寸法Ｌ１は、点３３３と点３３５の間の距離を表す。点３３３と点３３５の間の距離Ｌ１は、断面Ａ−Ａ’の位置における打球面３０３の全幅に対応する。寸法ｌ１は、点３３５と点３３９の間の距離を表す。寸法ｌ２は、点３３３と点３３７の間の距離を表す。
【００４１】
１つまたはそれ以上の実施形態において、距離ｌ１は、１．２５ｍｍ以下、１．１０ｍｍ以下、または１．００ｍｍ以下である。寸法ｌ１がこれらの範囲内にある代わりに、またはこれに加えて、ｌ２は１．２５ｍｍ以下、１．１０ｍｍ以下、または１．００ｍｍ以下であってもよい。寸法ｌ１とｌ２が個々にまたは共にこれらの範囲内にある代わりに、またはそれに加えて、後述のように、また図３に最もよく描かれていように、打球面外周３１７のヒール部とトウ部および陥凹部外周３２３のヒール部とトウ部の同様の点間の距離は、１．２５ｍｍ以下、１．１０ｍｍ以下、または１．００ｍｍ以下であってもよい。
【００４２】
１つまたはそれ以上の実施形態において、比ｌ１／Ｌ１とｌ２／Ｌ１の少なくとも一方は０．０５０以下、０．０４５以下、または０．０４０以下である。寸法ｌ３は点３３７と点３３９の間の距離を表す。いくつかの実施形態において、比ｌ３／Ｌ１は０．９０以
上、０．９５以上、または０．９９以上である。
【００４３】
図のように、寸法Ｈｇｃ，ｍａｘは、地面３４４に垂直な方向に測定されるゴルフクラブヘッド３００の地面３４４から上部３０７の点までの最大高さを表す。
【００４４】
図３ｂは、図３に描かれているようにゴルフクラブヘッド３００の一部を通過する水平断面Ｂ−Ｂ’の視点でのゴルフクラブヘッド３００の断面図である。水平断面Ｂ−Ｂ’がゴルフクラブヘッド３００と交差し、打球面平面３２７に沿って、４つの点、すなわち点３４１、点３４３、点３４５、点３４７ができる。点３４１は、打球面平面３２７と水平断面Ｂ−Ｂ’と打球面外周ヒール部３１７ｃが接触する点を表す。点３４３は、打球面平面３２７と水平断面Ｂ−Ｂ’と打球面外周トウ部３１７ｄが接触する点を表す。点３４５は、打球面平面３２７と水平断面Ｂ−Ｂ’と陥凹部外周ヒール部３２３ｃが接触する点を表す。点３４７は、打球面平面３２７と水平断面Ｂ−Ｂ’と陥凹部外周トウ部３２３ｄが接触する点を表す。
【００４５】
寸法Ｌ２は、点３４１と点３４３の間の距離を表す。点３４１と点３４３の間の距離Ｌ２は、水平断面Ｂ−Ｂ’の位置における打球面３０３の全幅に対応する。寸法ｌ４は、点３４３と点３４７の間の距離を表す。点３４１と点３４５の間の距離は寸法ｌ５によって表される。図に描かれている寸法ｌ４は図に描かれている寸法ｌ５より大きいが、ゴルフクラブヘッド３００の形状に応じて、ｌ４は寸法ｌ５以下でもよい。点３４５と点３４７の間の距離は寸法ｌ６によって表される。特定の実施形態において、比ｌ６／Ｌ２は０．８０以上、０．９０以上、または０．９９以上である。
【００４６】
１つまたはそれ以上の実施形態において、図４から図４ｄに例として描かれているように、ゴルフクラブヘッド４００はパター型ゴルフクラブ用のヘッドである。図４を参照すると、ゴルフクラブヘッド４００は、ゴルフボールを打つための打球面４０３を含む前部４０１、上部４０７、上部４０７と反対の底部４０９、ヒール部４１１、ヒール部と反対のトウ部４１３、打球面周縁部４１５、打球面外周４１７、陥凹部４１９、陥凹部４１９の中に設置されたインサート４２１、陥凹部外周４２３、および打球面４０３のヒール部４１１に近いシャフト（図示せず）を受けるためのホーゼル４２５と、を有する。打球面周縁部４１５は、陥凹部４１９の少なくとも一部を取り囲む。他の説明がないかぎり、これらの特徴は図１ａ〜図１ｇに関して述べた本発明の実施形態の同様の特徴と同様の方法で定義され、相互に関連付けられる。
【００４７】
垂直断面Ａ−Ａ’は、打球面平面４２７に垂直である（図４ａに示される）。垂直断面Ａ−Ａ’は、図４ａに関して後述するが、ゴルフクラブヘッド４００の一部を通過する。垂直断面Ｂ−Ｂ’は、垂直断面Ａ−Ａ’に平行で、打球面平面４２７に垂直である。垂直断面Ｂ−Ｂ’は、図４ｂに関して後述するが、垂直断面Ａ−Ａ’がゴルフクラブヘッド４００を通過する位置とは異なるゴルフクラブヘッド４００の部分を通過する。水平断面Ｃ−Ｃ’は、打球面平面４２７に垂直であり、垂直断面Ａ−Ａ’に垂直である。水平断面Ｃ−Ｃ’は、図４ｃに関して後述するが、ゴルフクラブヘッド４００の一部を通過する。水平断面Ｄ−Ｄ’は、打球面平面４２７に垂直であり、垂直断面Ａ−Ａ’に垂直である。水平断面Ｄ−Ｄ’は、図４ｄに関して後述するが、水平断面Ｃ−Ｃ’がゴルフクラブヘッド４００を通過する位置とは異なる、そこから垂直に離間されたゴルフクラブヘッド４００の部分を通過する。
【００４８】
図４ａは、図４に描かれるようにゴルフクラブヘッド４００を通過する垂直断面Ａ−Ａ’の視点でのゴルフクラブヘッド４００の断面図である。垂直断面Ａ−Ａ’はゴルフクラブヘッド４００と交差し、打球面平面４２７に沿って４つの点、点４３３、点４３５、点４３７、点４３９ができる。点４３３は、打球面平面４２７と垂直断面Ａ−Ａ’と打球面
外周底部４１７ｂが接触する点を表す。点４３５は、打球面平面４２７と垂直断面Ａ−Ａ’と打球面外周上部４１７ａが接触する点を表す。点４３７は、打球面平面４２７と垂直断面Ａ−Ａ’と陥凹部外周底部４２３ｂが接触する点を表す。点４３９は、打球面平面４２７と垂直断面Ａ−Ａ’と陥凹部外周上部４２３ａが接触する点を表す。寸法Ｌ１は、点４３３と点４３５の間の距離を表す。点４３３と点４３５の間の距離Ｌ１は、垂直断面Ａ−Ａ’の位置における打球面４０３の全幅に対応する。寸法ｌ１は、点４３５と点４３９の間の距離を表す。
【００４９】
１つまたはそれ以上の実施形態において、寸法ｌ１は、１．２５ｍｍ以下、１．１０ｍｍ以下、または１．００ｍｍ以下である。寸法ｌ１がこれらの範囲内にある代わりに、またはこれに加えて、ｌ２で表される点４３３と点４３７の間の距離は、１．２５ｍｍ以下、１．１０ｍｍ以下、または１．００ｍｍ以下であってもよい。ｌ１とｌ２が個々にまたは共にこれらの範囲内にある代わりに、またはこれに加えて、後述のように、また図４ｃに最もよく描かれているように、打球面外周４１７のヒール部とトウ部および陥凹部外周４２３のヒール部とトウ部の同様の点間の距離は、１．２５ｍｍ以下、１．１０ｍｍ以下、または１．００ｍｍ以下であってもよい。
【００５０】
１つまたはそれ以上の実施形態において、比ｌ１／Ｌ１とｌ２／Ｌ１の少なくとも一方は、０．０５０以下、０．０４５以下、または０．０４０以下である。寸法ｌ３は、点４３７と点４３９の間の距離を表す。１つの実施形態において、比ｌ３／Ｌ１は０．９０以上、０．９５以上、または０．９９以上である。
【００５１】
図４ｂは、図４に描かれているように、垂直断面Ａ−Ａ’がゴルフクラブヘッド４００を通過する点とは異なる位置でゴルフクラブヘッド４００の一部を通過する垂直断面Ｂ−Ｂ’の視点でのゴルフクラブヘッド４００の断面図である。垂直断面Ｂ−Ｂ’がゴルフクラブヘッド４００と交差し、打球面平面４２７に沿って４つの点、すなわち点４４１、点４４３、点４４５、点４４７ができる。点４４１は、打球面平面４２７と垂直断面Ｂ−Ｂ’と打球面外周底部４１７ｂが接触する点を表す。点４４３は、打球面平面４２７と垂直断面Ｂ−Ｂ’と打球面外周上部４１７ａが接触する点を表す。点４４５は、打球面平面４２７と垂直断面Ｂ−Ｂ’と陥凹部外周底部４２３ｂが接触する点を表す。点４４７は、打球面平面４２７と垂直断面Ｂ−Ｂ’と陥凹部外周上部４２３ｂが接触する点を表す。寸法Ｌ２は、点４４１と点４４３の間の距離を表す。点４４１と点４４３の間距離Ｌ２は、垂直断面Ｂ−Ｂ’の位置における打球面４０３の全幅に対応する。距離ｌ４は、点４４３と点４４７の間の距離を表す。１つの実施形態において、図４ｂに描かれている寸法ｌ４は、図４ａに描かれている寸法ｌ１より大きいが、ゴルフクラブヘッド４００の形状に応じて、ｌ４は寸法ｌ１以下でもよい。点４４１と点４４５の間の距離は、寸法ｌ５で表される。点４４５と点４４７の間の距離は寸法ｌ６によって表される。
【００５２】
１つまたはそれ以上の実施形態において、寸法ｌ６は、寸法ｌ３より小さいが、他の実施形態ではこの関係が逆であってもよい。さらに、１つまたはそれ以上の実施形態において、インサート４２１はその長さ全体にわたって複数回高さが変化する。
【００５３】
図４ｃは、図４に描かれているように、ゴルフクラブヘッド４００の一部を通過する水平断面Ｃ−Ｃ’の視点でのゴルフクラブヘッド４００の断面図である。水平断面Ｃ−Ｃ’がゴルフクラブヘッド４００と交差し、打球面平面４２７に沿って４つの点、すなわち点４４９、点４５１、点４５３、点４５５ができる。点４４９は、打球面平面４２７と水平断面Ｃ−Ｃ’と打球面外周ヒール部４１７ｃが接触する点を表す。点４５１は、打球面平面４２７と水平断面Ｃ−Ｃ’と打球面外周トウ部４１７ｄが接触する点を表す。点４５３は、打球面平面４２７と水平断面Ｃ−Ｃ’と陥凹部外周ヒール部４２３ｃが接触する点を表す。点４５５は、打球面平面４２７と水平断面Ｃ−Ｃ’と陥凹部外周トウ部４２３ｄが
接触する点を表す。寸法Ｌ３は、点４４９と点４５１の間の距離を表す。点４４９と点４５１の間の距離Ｌ３は、水平断面Ｃ−Ｃ’の位置における打球面４０３の全幅に対応する。寸法ｌ７は、点４５１と点４５５の間の距離を表す。点４４９と点４５３の間の距離は、寸法ｌ８により表される。図に描かれている寸法ｌ７は図に描かれている寸法ｌ８より大きいが、ゴルフクラブヘッド４００の形状に応じて、ｌ７は寸法ｌ８以下でもよい。点４５３と点４５５の間の距離は、寸法ｌ９により表される。特定の実施形態において、比ｌ９／Ｌ３は０．８０以上、０．９０以上、または０．９９以上である。
【００５４】
図４ｄは、図４に描かれているように、ゴルフクラブヘッド４００の一部を通過する水平断面Ｄ−Ｄ’の視点でのゴルフクラブヘッド４００の断面図である。水平断面Ｄ−Ｄ’がゴルフクラブヘッド４００と交差し、打球面平面４２７に沿って４つの点、すなわち点４５７、点４５９、点４６１、点４６３ができる。点４５７は、打球面平面４２７と水平断面Ｄ−Ｄ’と打球面外周ヒール部４１７ｃが接触する点を表す。点４５９は、打球面平面４２７と水平断面Ｄ−Ｄ’および打球面外周トウ部４１７ｄが接触する点を表す。点４６１は、打球面平面４２７と水平断面Ｄ−Ｄ’と陥凹部外周ヒール部４２３ｃが接触する点を表す。点４６３は、打球面平面４２７と水平断面Ｄ−Ｄ’および陥凹部外周トウ部４２３ｄが接触する点を表す。寸法Ｌ４は、点４５９と点４５７の間の距離を表す。点４５９と点４５７の間の距離Ｌ４は、水平断面Ｄ−Ｄ’の位置における打球面４０３の全幅に対応する。寸法ｌ１０は、点４５７と点４６１の間の距離を表す。点４５９と点４６３の間の距離は、寸法ｌ１１で表される。１つの実施形態において、図に描かれている寸法ｌ１０は図に描かれている寸法ｌ１１より大きいが、ゴルフクラブヘッド４００の形状に応じて、ｌ１１が寸法ｌ１０以下でもよい。点４６１と点４６３の間の距離は、寸法ｌ１２により表される。
【００５５】
１つまたはいくつかの実施形態において、寸法ｌ１２は寸法ｌ９より小さいが、他の実施形態では、この関係が逆であってもよい。さらに、１つまたはそれ以上の態様において、インサート４２１は高さが複数回変化する。
【００５６】
１つまたはそれ以上の実施形態において、図５から図５ｂに例として描かれているように、ゴルフクラブヘッド５００はアイアン型ゴルフクラブ用のヘッドであるが、以下の説明は、ウッド型ゴルフクラブに当てはめることもできる。図５を参照すると、ゴルフクラブヘッド５００は、打球面５０３の中に配置されたインサート５２１と幾何学中心５３１を有する打球面５０３を有する。
【００５７】
インサート５２１の前部５０２は、打球面５０３と概して同一平面上にある。ゴルフクラブヘッド５００はまた、上部５０７、底部５０９、ヒール部５１１、トウ部５１３、陥凹部５１８、窩洞４１９、周縁部５１５、およびホーゼル５２５を有する。ゴルフクラブヘッド５００は、地面５４４に関して基準位置にある。垂直断面Ａ−Ａ’とＢ−Ｂ’は、図５に描かれているように、打球面平面５２７に垂直である。垂直断面Ａ−Ａ’は、図５ａに関して後述するが、幾何学中心５３１においてゴルフクラブヘッド５００の一部を通過する。垂直断面Ｂ−Ｂ’は、図５ｂに関して後述するが、幾何学中心５３１以外の位置においてゴルフクラブヘッド５００の一部を通過する。他の説明がないかぎり、これらの特徴は図１ａ〜図１ｇに関して述べた本発明の実施形態の同様の特徴と同様の方法で定義され、相互に関連付けられる。
【００５８】
図５ａは、図５に描かれているように幾何学中心５３１を通過する垂直断面Ａ−Ａ’の視点でのゴルフクラブヘッド５００の断面図である。垂直断面Ａ−Ａ’がゴルフクラブヘッド５００と交差し、打球面平面５２７に沿って４つの点、すなわち点５３３、点５３５、点５３７、点５３９ができる。点５３３は、打球面平面５２７と垂直断面Ａ−Ａ’と打球面外周底部５１７ｂか接触する点を表す。点５３５は、打球面平面５２７と垂直断面Ａ
−Ａ’と打球面外周上部５１７ａが接触する点を表す。点５３７は、打球面平面５２７と垂直断面Ａ−Ａ’と陥凹部外周底部５２３ｂが接触する点を表す。点５３９は、打球面平面５２７と垂直断面Ａ−Ａ’と陥凹部外周上部５２３ａが接触する点を表す。寸法Ｌ１は、点５３３と点５３５の間の距離を表す。点５３３と点５３５の間の距離Ｌ１は、幾何学中心５３１における打球面５０３の全幅に対応する。寸法ｌ１は点５３５と点５３９の間の距離を表す。
【００５９】
１つまたはそれ以上の実施形態において、寸法ｌ１は１．２５ｍｍ以下、１．１０ｍｍ以下、または１．００ｍｍ以下である。寸法ｌ１がこれらの範囲内である代わりに、またはこれに加えて、ｌ２によって表される点５３３と点５３７の間の距離は、１．２５ｍｍ以下、１．１０ｍｍ以下、または１．００ｍｍ以下であってもよい。寸法ｌ１とｌ２が個々にまたは共にこれらの範囲内である代わりに、またはこれに加えて、打球面外周５１７のヒール部とトウ部および陥凹部外周５２３のヒール部とトウ部の同様の点間の距離は、１．２５ｍｍ以下、１．１０ｍｍ以下、または１．００ｍｍ以下であってもよい。
【００６０】
１つまたはそれ以上の実施形態において、比ｌ１／Ｌ１とｌ２／Ｌ１の少なくとも一方が０．０５０以下であることも好ましく、これらの比の少なくとも一方が０．０４５以下であることがより好ましくは、これらの比の少なくとも一方が０．０４０以下であることがさらにより好ましい。寸法ｌ３は、点５３７と点５３９の間の距離を表す。比ｌ３／Ｌ１が０．９０以上であることが好ましく、比ｌ３／Ｌ１が０．９５以上であることがより好ましく、比ｌ３／Ｌ１が０．９９以上であることがさらにより好ましい。
【００６１】
図５ｂは、図５に描かれているように、幾何学中心５３１以外の位置においてゴルフクラブヘッド５００の一部を通過する垂直断面Ｂ−Ｂ’の視点でのゴルフクラブヘッド５００の断面図である。垂直断面Ｂ−Ｂ’がゴルフクラブヘッド５００と交差し、打球面平面５２７に沿って４つの点、すなわち点５４１、点５４３、点５４５、点５４７ができる。点５４１は、打球面平面５２７と垂直断面Ｂ−Ｂ’と打球面平面外周底部５１７ｂが接触する点を表す。点５４３は、打球面平面５２７と垂直断面Ｂ−Ｂ’と打球面外周上部５１７ａが接触する点を表す。点５４５は、打球面平面５２７と垂直断面Ｂ−Ｂ’と陥凹部外周底部５２３ｂが接触する点を表す。点５４７は、打球面平面５２７と垂直断面Ｂ−Ｂ’と陥凹部外周上部５２３ａが接触する点を表す。寸法Ｌ２は、点５４１と点５４３の間の距離を表す。点５４１と点５４３の間の距離Ｌ２は、垂直断面Ｂ−Ｂ’の位置における打球面５０３の全幅である。寸法ｌ４は、点５４３と点５４７の間の距離を表す。図５ｂに描かれている寸法ｌ４は図５ａに示される寸法ｌ１より大きいが、ゴルフクラブヘッド５００の形状に応じて、ｌ４は寸法ｌ１以下でもよい。点５４１と点５４５の間の距離は、寸法ｌ５によって表される。点５４５と点５４７の間の距離は、寸法ｌ６によって表される。
【００６２】
本発明が現時点で好ましいその態様に関連して説明されたが、当業者であれば、以下の付属の特許請求の範囲に明記される場合除き、上記によって限定されない本発明の本質と範囲から逸脱することなく、さまざまな変更、改良および均等物との代替を行うことができることがわかるであろう。
【符号の説明】
【００６３】
１００、２００、３００、４００、５００  ゴルフクラブヘッド、１０１、２０１、３０１、４０１  前部、１０２、２０２、５０２  （インサートの）前面、１０３、２０３、３０３、４０３、５０３  打球面、１０４、２０４  （インサートの）後面、１０５  後面、１０７、２０７、３０７、４０７、５０７  上部、１０９、２０９、３０９、４０９、５０９  底部、１１１、２１１、３１１、４１１、５１１  ヒール部、１１３、２１３、３１３、４１３、５１３  トウ部、１１５、２１５、３１５、４１５、５１５  打球
面周縁部、１１７、２１７、３１７、４１７  打球面外周、１１７ａ、３１７ａ、４１７ａ、５１７ａ  打球面外周上部、１１７ｂ、３１７ｂ、４１７ｂ、５１７ｂ  打球面外周底部、１１９、２１９、３１９、４１９、５１８  陥凹部、１２１、２２１、３２１、４２１、５２１  インサート、１２３、２２３、３２３、４２３  陥凹部外周、１２３ａ、３２３ａ、４２３ａ、５２３ａ  陥凹部外周上部、１２３ｂ、３２３ｂ、４２３ｂ、５２３ｂ  陥凹部外周底部、１２４  （陥凹部の）側面、１２５  ホーゼル、１２７、２２７、３２７、４２７、５２７  打球面平面、１３１、５３１  幾何学中心、１３３、１３５、１３７、１３９、１４１、１４３、１４５、１４７、３３３、３３５、３３７、３３９、３４１、３４３、３４５、３４７、４３３、４３５、４３７、４３９、４４９、４５１、４５３、４５５、５３３、５３５、５３７、５３９、５４１、５４３、５４５、５４７
点、１４２  第一の仮想垂直面、１４４  地面、１４６  ヒール側の点、１４８  トウ側の点、１５０  第二の仮想垂直面、１５２  交差点、２５６  （陥凹部の）中間面、１５８  （陥凹部の）底面、２０５  後面、２０６  （インサートの）ヒール部、２０８  （インサートの）トウ部、２２２  第一のインサート部、２２４  第二のインサート部、３１７ｃ，４１７ｃ  打球面外周ヒール部、３１７ｄ，４１７ｄ  打球面外周トウ部、４２３ｃ  陥凹部外周ヒール部、４２３ｄ  陥凹部外周トウ部
【図１ａ】
0006045833.tif 000002
【図１ｂ】
0006045833.tif 000003
【図１ｃ】
0006045833.tif 000004
【図１ｄ】
0006045833.tif 000005
【図１ｅ】
0006045833.tif 000006
【図１ｆ】
0006045833.tif 000007
【図１ｇ】
0006045833.tif 000008
【図２】
0006045833.tif 000009
【図２ａ】
0006045833.tif 000010
【図２ｂ】
0006045833.tif 000011
【図３】
0006045833.tif 000012
【図３ａ】
0006045833.tif 000013
【図３ｂ】
0006045833.tif 000014
【図４】
0006045833.tif 000015
【図４ａ】
0006045833.tif 000016
【図４ｂ】
0006045833.tif 000017
【図４ｃ】
0006045833.tif 000018
【図４ｄ】
0006045833.tif 000019
【図５】
0006045833.tif 000020
【図５ａ】
0006045833.tif 000021
【図５ｂ】
0006045833.tif 000022